(57)【要約】【課題】フレッシュガスと別経路の酸素が外部に供給されているのか患者側に供給されているのかを、容易かつ確実に判断できるようにする。【解決手段】酸素をガス出口５側に送る外出酸素経路Ｌ１上に設けられ、酸素をガス出口５側に供給するか気化室６側に供給するかを切り替える切替スイッチ３２と、切替スイッチ３２の下流側に設けられ、酸素のガス出口５側への流量を計測、表示するＥＸＯ２フローメータ４１と、フレッシュガスまたは切替スイッチ３２側からの酸素が気化室６側に流れる気化室側経路上Ｌ２に設けられ、フレッシュガスまたは酸素の気化室６側への流量を計測、表示するトータルフローメータ４２と、を備える。【選択図】図１
2020137906.tif 000002
【特許請求の範囲】
【請求項１】
酸素を含むフレッシュガスを気化室に送って麻酔薬と混合して、患者に供給するとともに、酸素をガス出口から外部に供給可能な麻酔装置であって、
酸素を前記ガス出口側に送る外出酸素経路上に設けられ、酸素を前記ガス出口側に供給するか前記気化室側に供給するかを切り替える切替スイッチと、
前記切替スイッチの下流側に設けられ、酸素の前記ガス出口側への流量を計測、表示する外出酸素流量計と、
前記フレッシュガスまたは前記切替スイッチ側からの酸素が前記気化室側に流れる気化室側経路に設けられ、前記フレッシュガスまたは前記酸素の前記気化室側への流量を計測、表示する総流量計と、
を備えることを特徴とする麻酔装置。
【請求項２】
前記切替スイッチの上流側に設けられ、酸素の前記切替スイッチ側への流量を調整する流量調整手段を備える、
ことを特徴とする請求項１に記載の麻酔装置。
【請求項３】
前記切替スイッチが前記気化室側に切り替えられた場合に、前記フレッシュガスの前記気化室側への流入を停止する、
ことを特徴とする請求項１または２のいずか１項に記載の麻酔装置。
【請求項４】
前記切替スイッチの状態を含む状態情報を表示する表示手段を備える、
ことを特徴とする請求項１から３のいずか１項に記載の麻酔装置。
【発明の詳細な説明】
【技術分野】
【０００１】
この発明は、液状の麻酔薬を気化して患者に供給、投与する麻酔装置に関する。
【背景技術】
【０００２】
麻酔薬の投与量をより適正に制御するなどのために、液状の麻酔薬を気化させて患者に供給する麻酔装置が従来から使用されている（例えば、特許文献１および非特許文献１参照）。この麻酔装置は、麻酔薬タンクに貯留されたセボフルランやイソフルランなどの麻酔薬（麻酔液）が、定量ポンプによって気化器・気化室に搬送、送液される。一方、酸素、亜酸化窒素および空気を混合したフレッシュガスが気化室に供給され、気化室で気化された麻酔薬とフレッシュガスとが混合されて、患者に供給されるものである。
【０００３】
このような麻酔装置において、酸素、亜酸化窒素および空気の供給が電子制御化されているものは、停電などの緊急時にはガス供給ができなくなる場合がある。麻酔装置には、手動式の流量調節弁で酸素のみを外部に供給する回路を備えているものがあるが、この回路を利用して停電などの緊急時に酸素のみを患者側に供給できるようになっているものが知られている（例えば、特許文献２参照）。この麻酔装置は、酸素の流量を調整する機能と流量を表示する機能とを備えた、流量調整表示器の下流側に切換スイッチが設けられている。そして、切換スイッチが「外部」側である平常時には、流量調整表示器を流れた酸素が外部に供給され、緊急時に切換スイッチが「緊急」側に切り替えられると、流量調整表示器を流れた酸素が患者側に供給されるものである。
【先行技術文献】
【特許文献】
【０００４】
【特許文献１】特開２０１６−１６６５５９号公報
【特許文献２】米国特許第９２８３３４７号明細書
【非特許文献】
【０００５】
【非特許文献１】沖田一成；「電子式麻酔ガスデリバリー装置を搭載した使いやすい麻酔器」、医器学Vol.69，No.8（1999）
【発明の概要】
【発明が解決しようとする課題】
【０００６】
ところで、特許文献２に記載の麻酔装置では、平常時も緊急時もともに、酸素が流量調整表示器を流れて外部または患者側に供給される。このため、流量調整表示器を見ただけでは、酸素が外部に供給されているのか患者側に供給されているのかを判断することができない。特に、緊急時においては、酸素が確実に患者側に供給されていることを確認することが重要であるが、流量調整表示器しかないため確認することができない。
【０００７】
そこでこの発明は、酸素が外部に供給されているのか患者側に供給されているのかを、容易かつ確実に判断することが可能な麻酔装置を提供することを目的とする。
【課題を解決するための手段】
【０００８】
上記課題を解決するために、請求項１に記載の発明は、酸素を含むフレッシュガスを気化室に送って麻酔薬と混合して、患者に供給するとともに、酸素をガス出口から外部に供給可能な麻酔装置であって、酸素を前記ガス出口側に送る外出酸素経路上に設けられ、酸素を前記ガス出口側に供給するか前記気化室側に供給するかを切り替える切替スイッチと、前記切替スイッチの下流側に設けられ、酸素の前記ガス出口側への流量を計測、表示する外出酸素流量計と、前記フレッシュガスまたは前記切替スイッチ側からの酸素が前記気化室側に流れる気化室側経路に設けられ、前記フレッシュガスまたは前記酸素の前記気化室側への流量を計測、表示する総流量計と、を備えることを特徴とする。
【０００９】
請求項１に記載の発明によれば、例えば、切替スイッチがガス出口側である平常時には、酸素がガス出口から外部に供給され、その酸素流量が外出酸素流量計で計測、表示される。また、酸素を含むフレッシュガスが気化室側に流れて、そのフレッシュガスの流量が総流量計で計測、表示される。一方、例えば、停電などの緊急時に切換スイッチが気化室側に切り替えられると、酸素が切換スイッチを介して気化室側に供給され、気化室側への酸素流量が総流量計で計測、表示され、外出酸素流量計は流量ゼロを示す。
【００１０】
請求項２に記載の発明は、請求項１に記載の麻酔装置において、前記切替スイッチの上流側に設けられ、酸素の前記切替スイッチ側への流量を調整する流量調整手段を備える、ことを特徴とする。
【００１１】
請求項３に記載の発明は、請求項１または２に記載の麻酔装置において、前記切替スイッチが前記気化室側に切り替えられた場合に、前記フレッシュガスの前記気化室側への流入を停止する、ことを特徴とする。
【００１２】
請求項４に記載の発明は、請求項１から３に記載の麻酔装置において、前記切替スイッチの状態に基づく状態情報を表示する表示手段を備える、ことを特徴とする。
【発明の効果】
【００１３】
請求項１の発明によれば、フレッシュガスを気化室に供給して酸素を外部に供給する平常時には、フレッシュガスの流量が総流量計で計測、表示され、酸素の外部への流量が外出酸素流量計で計測、表示される。また、フレッシュガスや麻酔薬を供給できない緊急時には、気化室側つまり患者側への酸素流量が総流量計で計測、表示され、外出酸素流量計は流量ゼロを示す。
【００１４】
このため、外出酸素流量計がゼロを示しているか否かによって、フレッシュガスと別系統の酸素が外部に供給されているのか患者側に供給されているのかを、容易かつ確実に判断することが可能となる。特に、緊急時においては、酸素が確実に患者側に供給されていることを確認することが重要であるが、総流量計を目視するだけで、容易、迅速かつ確実に確認することができる。しかも、総流量計が酸素流量を示すため、患者側に供給されている酸素流量を、より確実に判断、確認することが可能となる。
【００１５】
請求項２の発明によれば、流量調整手段を備えるため、切替スイッチ側への酸素流量、つまり、外部または患者側への酸素流量を調整することができる。そして、切替スイッチの下流側に外出酸素流量計と総流量計とが設けられているため、流量調整手段で調整された流量の酸素が正しく流れているかを確認することができる。
【００１６】
請求項３の発明によれば、切替スイッチが気化室側に切り替えられた場合に、フレッシュガスの気化室側への流入が停止されるため、酸素のみを確実に患者側に供給することができる。例えば、停電していないが麻酔装置で設定されたフレッシュガスを患者側に供給したくない場合にも、切替スイッチを気化室側に切り替えることで、酸素のみを確実に患者側に供給することができる。
【００１７】
請求項４の発明によれば、切替スイッチの状態に基づく状態情報が表示手段に表示されるため、切替スイッチがガス出口側にあるのか気化室側にあるのか、つまり、酸素が外部に供給されているのか患者側に供給されているのかなどを、より容易かつ確実に判断、知得することが可能となる。
【図面の簡単な説明】
【００１８】
【図１】この発明の実施の形態に係る麻酔装置のガス供給系統を示す概略構成ブロック図である。
【図２】図１のガス供給系統の平常時におけるガスフローを示す概略構成ブロック図である。
【図３】図１のガス供給系統の緊急時におけるガスフローを示す概略構成ブロック図である。
【図４】この発明の実施の形態に係る麻酔装置の流量計パネルを示す正面図である。
【図５】この発明の実施の形態に係る麻酔装置のコントロールパネルを示す正面図である。
【発明を実施するための形態】
【００１９】
以下、この発明を図示の実施の形態に基づいて説明する。
【００２０】
図１〜図５は、この発明の実施の形態を示し、図１は、この実施の形態に係る麻酔装置のガス供給系統１を示す概略構成ブロック図である。この麻酔装置は、酸素を含むフレッシュガスを気化室６に送って麻酔薬と混合して、患者に供給すると同時に、酸素をガス出口５から外部に供給可能な装置であり、主として、酸素やフレッシュガスの流れを形成するガス供給系統１が従来の麻酔装置と構成が異なり、従来の麻酔装置と同等の構成については、その説明を省略、概説する。
【００２１】
すなわち、この麻酔装置は、気化室６に貯留されたセボフルランやイソフルランなどの麻酔薬（麻酔液）が、Ｏ２源（酸素タンク）１１からの酸素、Ｎ２Ｏ源（亜酸化窒素タンク）１２からの亜酸化窒素および空気源（空気タンク）１３からの空気を混合したフレッシュガスと混合されて、患者に投与されるものである。
【００２２】
このような構成において、ガス供給系統１は、主として、切替スイッチ３２と、流量調整ニードル（流量調整手段）２２と、ＥＸＯ２フローメータ（外出酸素流量計）４１と、トータルフローメータ（総流量計）４２と、を備える。
【００２３】
切替スイッチ３２は、酸素をガス出口５側に送る外出酸素経路Ｌ１上に設けられ、酸素をガス出口５側に供給するか気化室６側に供給するかを切り替えるスイッチである。すなわち、Ｏ２源１１とガス出口５とを連通する外出酸素経路Ｌ１上に設けられ、１つの流入口と２つの流出口とを備える。流入口は、Ｏ２源１１側の外出酸素経路Ｌ１に接続され、一方の流出口は、ガス出口５側の外出酸素経路Ｌ１に接続され、他方の流出口は、後述する気化室側経路Ｌ２に連通する分岐経路Ｌ３に接続されている。
【００２４】
そして、切替スイッチ３２がガス出口５側にセットされると、流入口に流入したＯ２源１１からの酸素が、一方の流出口からガス出口５側に流出する。一方、切換スイッチ３２が気化室側にセットされると、流入口に流入したＯ２源１１からの酸素が、他方の流出口から分岐経路Ｌ３および気化室側経路Ｌ２を介して気化室６側に流出する。この切替スイッチ３２を操作する切替レバー３１は、図４に示すように、流量計パネル７に設けられている。
【００２５】
流量調整ニードル２２は、切替スイッチ３２の上流側に設けられ、酸素の切替スイッチ３２側への流量を調整する調整弁である。すなわち、Ｏ２源１１と切替スイッチ３２との間の外出酸素経路Ｌ１に設けられ、流量調整ニードル２２を調整することで、Ｏ２源１１から切替スイッチ３２側、つまり、ガス出口５側または気化室６側に流れる酸素流量が調整されるものである。この流量調整ニードル２２を操作する流量調整ノブ２１は、図４に示すように、流量計パネル７に設けられている。
【００２６】
ＥＸＯ２フローメータ４１は、切替スイッチ３２の下流側に設けられ、酸素のガス出口５側への流量を計測、表示する計量器である。すなわち、切替スイッチ３２とガス出口５との間の外出酸素経路Ｌ１に設けられ、切替スイッチ３２側からガス出口５側に流れる酸素流量をフロート（浮子）によって計測、表示するフロート式流量計である。このＥＸＯ２フローメータ４１は、図４に示すように、流量計パネル７に設けられている。
【００２７】
ところで、図１に示すように、Ｏ２源１１には、外出酸素経路Ｌ１とは異なる内出酸素経路Ｌ１１が設けられ、この内出酸素経路Ｌ１１は、酸素流量制御弁１１Ｖを経て気化室６に接続された気化室側経路Ｌ２に連通している。同様に、Ｎ２Ｏ源１２に設けられた亜酸化窒素経路Ｌ１２が亜酸化窒素流量制御弁１２Ｖを経て気化室側経路Ｌ２に連通し、空気源１３に設けられた空気経路Ｌ１３が空気流量制御弁１３Ｖを経て気化室側経路Ｌ２に連通している。これにより、Ｏ２源１１から内出酸素経路Ｌ１１を経由した酸素と、Ｎ２Ｏ源１２から亜酸化窒素経路Ｌ１２を経由した亜酸化窒素と、空気源１３から空気経路Ｌ１３を経由した空気とが、図示しないガスミキサで混合されてフレッシュガスとなり、気化室側経路Ｌ２を経由して気化室６側に流れる。
【００２８】
トータルフローメータ４２は、フレッシュガスまたは切替スイッチ３２側からの酸素が気化室６側に流れる気化室側経路Ｌ２に設けられ、フレッシュガスまたは流量調整ニードル２２で調整された酸素の気化室６側への流量を計測、表示する計量器である。すなわち、上記のように、切替スイッチ３２の他方の流出口が分岐経路Ｌ３を介して気化室側経路Ｌ２に接続され、気化室側経路Ｌ２が切替スイッチ３２の下流側に位置し、この気化室側経路Ｌ２をフレッシュガスまたは切替スイッチ３２側からの酸素が流れる。このため、この気化室側経路Ｌ２上に、気化室側経路Ｌ２を経て気化室６側に流れるガスの流量を計測、表示するトータルフローメータ４２が設けられている。このトータルフローメータ４２は、ＥＸＯ２フローメータ４１と同様なフロート式流量計である。
【００２９】
具体的には、切替スイッチ３２がガス出口５側にセットされた場合には、気化室側経路Ｌ２を経由して気化室６側に流れるフレッシュガスの流量を計測、表示する。一方、切換スイッチ３２が気化室６側にセットされた場合には、分岐経路Ｌ３および気化室側経路Ｌ２を経由して気化室６側に流れる酸素の流量を計測、表示する。このように、トータルフローメータ４２は、気化室６側つまり患者側に流れるガス流量を計測、表示し、このトータルフローメータ４２を見るだけでフレッシュガスまたは酸素が患者に供給されているのか、どのくらい供給されているのかを確実に知得することができる。このトータルフローメータ４２は、図４に示すように、流量計パネル７に設けられている。
【００３０】
このように、このガス供給系統１では、Ｏ２源１１からの酸素を、フレッシュガス生成用の酸素としてガスミキサに供給するとともに、流量調整ニードル２２で調整された酸素のみを外部または気化室６側つまり患者側にも供給できるようになっている。また、フレッシュガスを気化室６側に送る気化室側経路Ｌ２を、切替スイッチ３２からの酸素が流れて気化室６側に送られる。そして、気化室側経路Ｌ２を気化室６側に流れるフレッシュガスまたは酸素の流量がトータルフローメータ４２で計測、表示される。
【００３１】
ここで、基本的に、停電などの緊急時にのみ酸素が患者側に送られ、しかも、後述するように、切替スイッチ３２が気化室６側に切り替えられると、フレッシュガスの気化室６側への流入が停止される。このため、フレッシュガスと酸素の双方が気化室側経路Ｌ２を流れて、トータルフローメータ４２で計測されることはない。
【００３２】
また、Ｏ２源１１からは、流量調整ニードル２２と酸素流量制御弁１１Ｖで酸素を送れるようになっている。すなわち、麻酔装置が給電されている平常時には、酸素流量制御弁１１ＶによってＯ２源１１から酸素が供給され、停電などの緊急時には、切替スイッチ３２を気化器６側に切り替えて流量調整ニードル２２を手で動かすことでＯ２源１１から酸素が患者へ供給されるようになっている。一方、Ｎ２Ｏ源１２と空気源１３からは、亜酸化窒素流量制御弁１２Ｖと空気流量制御弁１３Ｖのみによって亜酸化窒素と空気を供給できる。
【００３３】
さらに、切替スイッチ３２が気化室６側に切り替えられた場合には、フレッシュガスの気化室６側への流入が停止する。すなわち、切替スイッチ３２の切替位置を検出する検出器を備え、この検出器で切替スイッチ３２が気化室６側に切り替えられたことを検出すると、流量制御弁１１Ｖ、１２Ｖ、１３Ｖを制御する制御部に検出結果を伝送する。そして、この制御部によって、流量制御弁１１Ｖ、１２Ｖ、１３Ｖが閉じられ、フレッシュガスの気化室６側への流入が停止する。
【００３４】
また、この麻酔装置は、切替スイッチ３２の状態に基づく状態情報を表示するコントロールパネル（表示手段）８を備える。すなわち、コントロールパネル８は、図５に示すように、タッチパネル部８１と各種釦部８２とを備え、切替スイッチ３２の状態つまり切替位置に基づいた状態情報が、タッチパネル部８１に表示されるようになっている。例えば、切替スイッチ３２が気化室６側に切り替えられると、フレッシュガスが気化室６側つまり患者側に供給されておらず、流量調整ニードル２２からの酸素が患者側に供給されている旨の状態情報をタッチパネル部８１に表示する。また、切替スイッチ３２がガス出口５側に切り替えられると、酸素が外部に供給されている、または供給可能な旨の状態情報をタッチパネル部８１に表示する。
【００３５】
ここで、図４における符号７１は、患者呼吸回路の内圧を示す回路内圧計であり、符号７２は、電源ボタンであり、符号７３は、装置が電源に接続されていることを示す通電インジケータである。符号７４は、内部バッテリが充電中であることを示すバッテリ充電中インジケータであり、符号７５は、内部バッテリの充電が完了していることを示すバッテリ充電完了インジケータである。
【００３６】
次に、このような構成の麻酔装置の作用などについて説明する。まず、麻酔装置が給電され患者に麻酔を投与する平常時には、切替レバー３１を「ＥＸＯ２」側に回して切替スイッチ３２をガス出口５側にセットする。また、外部に酸素を供給する必要がある場合には、流量調整ノブ２１を回して流量調整ニードル２２を調整し、外部への酸素流量を調整する。これにより、図２に示すように、Ｏ２源１１からの酸素が外出酸素経路Ｌ１を流れ、切替スイッチ３２を介してガス出口５から外部に供給される。ここで、ガス出口５には、外部に酸素を供給するためのチューブなどを接続する。
【００３７】
一方、Ｏ２源１１から酸素流量制御弁１１Ｖと内出酸素経路Ｌ１１を経由した酸素と、Ｎ２Ｏ源１２から亜酸化窒素流量制御弁１２Ｖと亜酸化窒素経路Ｌ１２を経由した亜酸化窒素と、空気源１３から空気流量制御弁１３Ｖと空気経路Ｌ１３を経由した空気とが、ガスミキサで混合されてフレッシュガスとなり、気化室側経路Ｌ２を流れて気化室６側に供給される。そして、気化室６で気化された麻酔薬とフレッシュガスとが混合されて、患者に投与される。
【００３８】
このような平常時においては、外部への酸素流量がＥＸＯ２フローメータ４１によって計測、表示され、気化室６側つまり患者側へのフレッシュガス流量がトータルフローメータ４２によって計測、表示される。さらに、酸素が外部に供給されている、または供給可能な旨の状態情報が、コントロールパネル８のタッチパネル部８１に表示される。
【００３９】
続いて、停電などの緊急時には、流量制御弁１１Ｖ、１２Ｖ、１３Ｖが停止してフレッシュガスを供給できないため、酸素を患者に供給する必要がある。この場合、切替レバー３１を「ＥＭＥＲＧＥＮＣＹ」側に回して切替スイッチ３２を気化室６側に切り替える。また、流量調整ノブ２１を回して流量調整ニードル２２を調整し、患者への酸素流量を調整する。これにより、図３に示すように、Ｏ２源１１からの酸素が外出酸素経路Ｌ１を流れ、切替スイッチ３２で分岐経路Ｌ３に流れて気化室側経路Ｌ２に流入して気化室６側つまり患者側に供給される。
【００４０】
このような緊急時の操作においては、ガス出口５側には流量調整ニードル２２からの酸素が流れないため、ＥＸＯ２フローメータ４１は流量ゼロを示し、気化室６側つまり患者側への酸素流量がトータルフローメータ４２によって計測、表示される。さらに、フレッシュガスが気化室６側つまり患者側に供給されておらず、酸素が患者側に供給されている旨の状態情報が、コントロールパネル８のタッチパネル部８１に表示される。
【００４１】
このように、この麻酔装置によれば、フレッシュガスを気化室６に供給して酸素を外部に供給する（あるいは供給可能な）平常時には、フレッシュガスの流量がトータルフローメータ４２で計測、表示され、外部への酸素流量がＥＸＯ２フローメータ４１で計測、表示される。また、フレッシュガスや麻酔薬を供給できない緊急時には、気化室６側つまり患者側への酸素流量がトータルフローメータ４２で計測、表示され、ＥＸＯ２フローメータ４１は流量ゼロを示す。
【００４２】
このため、流量調整ニードル２２からの酸素が外部に供給されているのか患者側に供給されているのかを、容易かつ確実に判断することが可能となる。特に、緊急時においては、酸素が確実に患者側に供給されていることを確認することが重要であるが、トータルフローメータ４２が流量を計測していることを目視するだけで、容易、迅速かつ確実に確認することができる。しかも、トータルフローメータ４２が患者側への酸素流量を示すため、酸素が患者側に供給されている流量を、より確実に判断、確認することが可能となる。
【００４３】
換言すると、流量調整ニードル２２で調整された酸素を外部に供給したい場合には、ＥＸＯ２フローメータ４１で計量されているのを目視するだけで、酸素が外部に供給されているのを確実に確認することができる。また、酸素を患者側に供給したい場合には、ＥＸＯ２フローメータ４１がゼロ表示であってトータルフローメータ４２で計量されているのを目視するだけで、酸素が患者側に供給されているのを確実に確認することができる。
【００４４】
また、流量調整ニードル２２を備えるため、切替スイッチ３２側への酸素流量、つまり、外部または患者側への酸素流量を調整することができる。そして、切替スイッチ３２の下流側にＥＸＯ２フローメータ４１とトータルフローメータ４２とが設けられているため、流量調整ニードル２２で調整された流量の酸素が正しく流れているかを確認することができる。
【００４５】
また、切替スイッチ３２が気化室６側に切り替えられた場合に、フレッシュガスの気化室６側への流入が停止されるため、酸素のみを確実に患者側に供給することができる。例えば、停電していないがフレッシュガスを患者側に供給したくない場合に、切替スイッチ３２を気化室６側に切り替えることで、酸素のみを確実に患者側に供給することができる。
【００４６】
一方、切替スイッチ３２の状態に基づく状態情報がコントロールパネル８に表示されるため、切替スイッチ３２がガス出口５側にあるのか気化室６側にあるのか、つまり、酸素が外部に供給されているのか患者側に供給されているのかなどを、より容易かつ確実に判断、知得することが可能となる。
【００４７】
以上、この発明の実施の形態を詳述してきたが、具体的な構成はこの実施の形態に限られるものではなく、この発明の要旨を逸脱しない範囲の設計の変更等があっても、この発明に含まれる。例えば、上記の実施の形態では、１つのＯ２源１１から酸素をガスミキサや外部、気化室６側などに送っているが、ガスミキサに酸素を送るＯ２源と、外部または気化室６側に酸素を送るＯ２源とを別に設けてもよい。
【符号の説明】
【００４８】
１        麻酔装置のガス供給系統
１１      Ｏ２源
１２      Ｎ２Ｏ源
１３      空気源
２２      流量調整ニードル（流量調整手段）
３２      切替スイッチ
４１      ＥＸＯ２フローメータ（外出酸素流量計）
４２      トータルフローメータ（総流量計）
５        ガス出口
６        気化室
７        流量計パネル
８        コントロールパネル（表示手段）
Ｌ１      外出酸素経路
Ｌ２      気化室側経路
Ｌ３      分岐経路
Ｌ１１    内出酸素経路
Ｌ１２    亜酸化窒素経路
Ｌ１３    空気経路
【図１】
2020137906.tif 000003
【図２】
2020137906.tif 000004
【図３】
2020137906.tif 000005
【図４】
2020137906.tif 000006
【図５】
2020137906.tif 000007
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
Ｏ２源から供給される酸素を含むフレッシュガスを気化室に送って麻酔薬と混合して患者に供給したり、前記Ｏ２源から供給される酸素をガス出口から外部に供給したりする麻酔装置であって、
前記Ｏ２源から供給される酸素を、前記ガス出口側に供給するか前記気化室側に供給するかを切り替える切替スイッチと、
前記切替スイッチと前記ガス出口との間に設けられ、前記Ｏ２源から供給される酸素を前記ガス出口側に供給するように前記切替スイッチが切り替えられた際に、前記Ｏ２源から供給される酸素の前記ガス出口側への流量を計測、表示するフロート式の外出酸素流量計と、
前記切替スイッチと前記気化室との間に設けられ、前記Ｏ２源から供給される酸素を前記ガス出口側に供給するように前記切替スイッチが切り替えられた際には、前記フレッシュガスの前記気化室側への流量を計測、表示し、かつ、前記Ｏ２源から供給される酸素を前記気化室側に供給するように前記切替スイッチが切り替えられた際には、前記Ｏ２源から供給される酸素の前記気化室側への流量を計測、表示するフロート式の総流量計と、
を備えることを特徴とする麻酔装置。
【請求項２】
前記切替スイッチの上流側に設けられ、酸素の前記切替スイッチ側への流量を調整する流量調整手段を備える、
ことを特徴とする請求項１に記載の麻酔装置。
【請求項３】
前記切替スイッチが前記気化室側に切り替えられた場合に、前記フレッシュガスの前記気化室側への流入を停止する、
ことを特徴とする請求項１または２のいずか１項に記載の麻酔装置。
【請求項４】
前記切替スイッチの状態を含む状態情報を表示する表示手段を備える、
ことを特徴とする請求項１から３のいずか１項に記載の麻酔装置。
【手続補正２】
【補正対象書類名】明細書
【補正対象項目名】０００８
【補正方法】変更
【補正の内容】
【０００８】
上記課題を解決するために、請求項１の発明は、Ｏ２源から供給される酸素を含むフレッシュガスを気化室に送って麻酔薬と混合して患者に供給したり、前記Ｏ２源から供給される酸素をガス出口から外部に供給したりする麻酔装置であって、前記Ｏ２源から供給される酸素を、前記ガス出口側に供給するか前記気化室側に供給するかを切り替える切替スイッチと、前記切替スイッチと前記ガス出口との間に設けられ、前記Ｏ２源から供給される酸素を前記ガス出口側に供給するように前記切替スイッチが切り替えられた際に、前記Ｏ２源から供給される酸素の前記ガス出口側への流量を計測、表示するフロート式の外出酸素流量計と、前記切替スイッチと前記気化室との間に設けられ、前記Ｏ２源から供給される酸素を前記ガス出口側に供給するように前記切替スイッチが切り替えられた際には、前記フレッシュガスの前記気化室側への流量を計測、表示し、かつ、前記Ｏ２源から供給される酸素を前記気化室側に供給するように前記切替スイッチが切り替えられた際には、前記Ｏ２源から供給される酸素の前記気化室側への流量を計測、表示するフロート式の総流量計と、を備えることを特徴とする。